(57)【特許請求の範囲】
【請求項１】
筐体と、前記筐体内に配設された熱交換器と、前記熱交換器と前記筐体の間に配設され、熱交換された空気を送風するラインフローファンと、前記ラインフローファンを駆動するモータを収納して前記筐体内に取り付けられるケーシングと、前記ラインフローファンによって空気を搬出する通風路と前記モータのケーシングを取り付ける空間とを仕切る仕切り板と、前記仕切り板に配した前記ラインフローファンのモータとの連結固定部を挿通する挿通部とを備え、前記ケーシングの内部に前記仕切り板に密接してモータシャフトの外周を管状に覆うように遮蔽空間を形成する密着固定のカバー部品を配設するとともに、前記筐体を据え付けた状態で下方から前記カバー部品をスライドして嵌まり込みにより着脱自在とすることで前記熱交換器を取り外すことなく前記連結固定部を緩める、または締め込むことを可能とする開口部を有したことを特徴とする空気調和機。
【発明の詳細な説明】
【０００１】
【発明の属する技術分野】
本発明は、空気調和機の室内側ユニットに係わり、特に熱交換された空気を室内に送風するラインフローファンとこのファンを駆動するモータとの連結部における、仕切り板の挿通穴に関し、その遮風構造に関するものである。
【０００２】
【従来の技術】
図７は、例えば特開昭１０−６１９６４号公報に開示された従来の空気調和機室内ユニットの要部断面図である。図中、１は室内ユニットの筐体、３は筐体１の通風路に配設されたラインフローファン、４はラインフローファン３を駆動するモータ、５はモータ収納部のケーシング、７は通風路とモータ収納空間とを仕切る仕切り板、１９はラインフローファン３とモータ４を接続固定するボス、１８はモータ４のシャフトを囲むシャフトカバーであり、片側をモータ４の軸受防振ゴムの外周に挿着し、他方を仕切り板７に嵌合するようにしている。
【０００３】
次に動作について説明する。モータのシャフト外周に管状のシャフトカバー１８を被着し、その反モータ側は熱交換器を通った空気の通風路とモータ収納空間とを仕切る筐体１と仕切り板７の間に配した挿通穴に嵌着するようにしており、挿通穴を遮風し、前記通風路へのこの挿通穴からの外気の侵入を防ぎラインフローファン等への結露を防いでいる。
【０００４】
【発明が解決しようとする課題】
従来の空気調和機における、モータシャフトの挿通穴の遮風は上述のように構成されていたので、ラインフローファンのモータとの固定部は、通風路側に設けねばならず、また、そのため、風路の仕切り板とラインフローファンとの隙間が多大となり、風切り音等の障害が発生する場合があった。さらに、その対策のため、ラインフローファンの側壁よりもファン内側に固定ネジ締め付けを設け、そのためラインフローファンの羽根にドライバーなどのネジ締め工具が挿入出来るように穴を切り欠く、または欠損させ固定ネジ締め付け部を設ける必要があり、ラインフローファンの安定した送風を阻害する要因となっていた。
【０００５】
この発明は上記のような問題点を解決するためになされたもので、ラインフローファンへの結露を防止するとともに、仕切り板とラインフローファンの側壁との隙間を最小に収納して送風特性の向上を得ることを目的としており、さらにこれらの取付け組立てを容易にできることを目的とする。
【０００６】
【課題を解決するための手段】
本発明の請求項１に関わる空気調和機は、筐体と、前記筐体内に配設された熱交換器と、前記熱交換器と前記筐体の間に配設され、熱交換された空気を送風するラインフローファンと、前記ラインフローファンを駆動するモータを収納して前記筐体内に取り付けられるケーシングと、前記ラインフローファンによって空気を搬出する通風路と前記モータのケーシングを取り付ける空間とを仕切る仕切り板と、前記仕切り板に配した前記ラインフローファンのモータとの連結固定部を挿通する挿通部とを備え、前記ケーシングの内部に前記仕切り板に密接してモータシャフトの外周を管状に覆うように遮蔽空間を形成する密着固定のカバー部品を配設するとともに、前記筐体を据え付けた状態で下方から前記カバー部品をスライドして嵌まり込みにより着脱自在とすることで前記熱交換器を取り外すことなく前記連結固定部を緩める、または締め込むことを可能とする開口部を有したものである。
【０００９】
【発明の実施の形態】
実施の形態１．
以下、本発明の実施の形態１について図１に基づいて説明する。図１は本発明に係る空気調和機を示す一部透視斜視図である。図２は、本発明に係る空気調和機の要部拡大斜視図であり、図３は要部平面図、図４は要部断面図である。
【００１０】
図において、１は空気調和機の風路を構成する筐体、２は筐体１に取付けられた熱交換器、３は熱交換器２によって熱交換された空気を吹出し口へ送り出すラインフローファン、４はラインフローファン３を駆動するモータ、５はモータ収納部のケーシング、６はモータカバー、７は通風路とモータ４の取付け空間とを仕切る筐体１に設けた仕切り板、８は仕切り板７に配した挿通穴、１９はラインフローファンの固定と支持の為のボス（連結固定部）、９はボス１９に配置され、ラインフローファン３とモータ４のシャフトを固定するための固定ネジ、１０は固定ネジ９を締め付けたり緩めたりする作業空間、１１は作業空間１０を遮蔽するためのカバー部品、１２は作業空間１０の遮蔽性能を向上させるためにカバー部品１１に貼り付けられたインスレーション、１３はモータカバー６とモータ収納部のケーシング５に貼り付けられて仕切り板７との隙間を埋めるインスレーションである。
【００１１】
図１における、空気調和機の室内ユニットの空気の流れは、白抜き矢印にて示す通り、ユニット前面より流入して熱交換器２を通過することにより熱交換し、筐体１の風路に沿いラインフローファン３によって、ユニット前面下方にある吹出し口へ導かれ、機外へ送風される。このとき、仕切り板７と、モータ収納部のケーシング５、モータカバー６、そしてカバー部品１１にそれぞれに貼り付けられたインスレーション１２、１３により、黒矢印に示されるようなこの部分からの熱交換器２を通過しない空気の風路側への流入を遮蔽する構造となっている。
【００１２】
次に、上述の遮蔽構造を図２、３、４により説明する。図２の要部拡大斜視図で示すようにラインフローファン３を駆動するモータ４を収納するケーシング５は、モータの軸より略下側を構成している。一方、このモータの上側にはモータカバー６を配置してモータ４を上下より挟み込み固定する構成としている。このケーシング５の下部には室内ユニットの筐体１へ固定するための固定用穴やリブが設けられている。また、ケーシング５のモータシャフト側に前述のケーシングの壁面が仕切り板７に隣接する位置まで伸出するとともに、上側からのモータカバー６にもモータシャフト側に同じく伸出した部分を有して、これらの伸出部分によりモータシャフト側に遮蔽空間を形成する。
さらに、ケーシング５とモータカバー６にはモータ４からの電気配線を係止するフックや溝、そして押さえ板等が設けられている。
【００１３】
図３は要部平面図であり、仕切り板７を挟んで熱交換器２とラインフローファン３を収納した風路側が図３の左側に位置し、その反対側には、モータ４を収納したケーシング５とモータカバー６が、そのモータシャフトがラインフローファンに接続固定されるように配設されている。
【００１４】
図４は要部断面図であり、モータ４はケーシング５及びモータカバー６に収納固定され、筐体１の仕切り板７に設けられた挿通穴を介して、風路内のラインフローファン３のボス（連結固定部）１９と連結接続されている。
【００１５】
ラインフローファン３のボス１９を仕切り板７の挿通穴よりもモータ側へ吐出させることによりモータ４とボス１９を締結する固定ネジ９を風路外側に配置することができる。これにより、ラインフローファン３と風路の仕切り板７との隙間を少なくすることができ、ラインフローファン３の安定した送風特性を得ることができる。また、熱交換器２を取り外すことなく、その下側に配設されたラインフローファン３の固定ネジ９を緩めて、モータをファンから分離させることができる。
【００１６】
モータ４のファン側に伸びるシャフトの外周を管状に覆うようにケーシング５の延出部と上側のモータカバー６により遮蔽空間２０が形成され、モータ４の軸受部の防振ゴムが前記ケーシング５とモータカバー６に密着して固定されているので、モータ４側から熱交換器を通らない風路外からの空気侵入を防止してラインフローファン３への結露発生を防止できている。
【００１７】
モータ４に何らかの不具合が発生し、このモータ４を交換取り付けなければならない時や、熱交換器２と筐体１の間の風路に配設されたラインフローファン３を取り外す場合は、モータカバー６に取り付けられたカバー部品１１を取り外すことにより、ラインフローファン３とモータ４との連結部であるボス９の固定ネジ９を緩めたり、または締め込んだりするための作業空間１０が窓のような開口を形成している。上述の固定ネジ９による交換取り付けの後は、逆手順でカバー部品１１をモータカバー６に取り付けて再び遮蔽空間２０を形成して、風路への外気侵入を防止する。
【００１８】
実施の形態２．
図５は、この発明の実施の形態２におけるカバー部品の取付け断面図である。図において、６はモータカバー、１４はモータカバーに設けられたフック、１５はモータカバーの凸部、１１はカバー部品、１６はカバー部品の下側に設けたフック、１７はカバー部品の取っ手である。
【００１９】
次に動作について説明する。モータカバー６のフック１４にカバー部品１１の先端を差し込むようにモータカバー６の表面に沿ってスライドさせ、モータカバーに配置した凸部１５にカバー部品のフック１６が嵌まり込み、モータカバー６へのカバー部品１１の固定ができる。さらに、その操作性向上のためにカバー部品１１の上側には取っ手１７を設けている。また、カバー部品１１を取り外す場合は、上述とは逆に、カバー部品１１を引き出す方向にスライドさせることによりフック１６が外れ、簡単に取り外すことができる。
【００２０】
実施の形態３．
図６はこの発明の実施の形態３における要部斜視図である。図６において、１１はカバー部品、１６はフック、１７は取っ手、１５は筐体１に設けた凸である。なお、図中、図１および図２と同一または相当部分は同一符号を付す。
【００２１】
実施の形態２では、カバー部品１１をモータカバー６に取付けるように構成したが、カバー部品１１を筐体１へ仕切り板７に接近し取り付ける様に構成しても同様の効果が得られる。
【００２２】
【発明の効果】
本発明の請求項１に関わる空気調和機は、筐体と、筐体内に配設された熱交換器と、熱交換器と筐体の間に配設され、熱交換された空気を送風するラインフローファンと、ラインフローファンを駆動するモータを収納して筐体内に取り付けられるケーシングと、ラインフローファンによって空気を搬出する通風路とモータのケーシングを取り付ける空間とを仕切る仕切り板と、仕切り板に配したラインフローファンのモータとの連結固定部を挿通する挿通部とを備え、前記ケーシングの内部に前記仕切り板に密接してモータシャフトの外周を管状に覆うように遮蔽空間を形成する密着固定のカバー部品を配設するとともに、前記筐体を据え付けた状態で下方から前記カバー部品をスライドして嵌まり込みにより着脱自在とすることで前記熱交換器を取り外すことなく前記連結固定部を緩める、または締め込むことを可能とする開口部を有したもので、熱交換していない外気の空気が挿通部から通風路に流入して内部に配設されたラインフローファンへ結露を発生させることがなく信頼性が高くなる。また、ラインフローファンの前面に設置されている熱交換器を取り外すことなくファンの連結固定部からモータを引き出すことができるとともに、カバー部品をスライドさせることにより取り付けられるのでカバー部品の取り付けが容易となる効果を奏する。
【００２３】
本発明の請求項２に関わる空気調和機は、ラインフローファンのモータとの連結固定部に対向した遮蔽空間に開口部を設け、この開口部に着脱自在なカバー部品を配設したので、ラインフロファンの前面に設置されている熱交換器を取り外すことなくファンの連結固定部からモータを引き出すことができ、モータと仕切り板との間の狭い空間においても固定ネジの締め付けあるいは緩め作業が容易にできる効果を奏す。
【図面の簡単な説明】
【図１】  本発明の実施形態１に係わる空気調和機室内ユニットの一部透視斜視図である。
【図２】  本発明の実施形態１に係わる要部拡大斜視図である。
【図３】  本発明の実施形態１に係わる要部平面図である。
【図４】  本発明の実施形態１に係わる要部断面図である。
【図５】  本発明の実施形態２に係わる要部断面図である。
【図６】  本発明の実施形態３に係わる要部斜視図である。
【図７】  従来の空気調和機室内ユニットの要部拡大図である。
【符号の説明】
１  筐体、２  熱交換器、３  ラインフローファン、４  モータ、５  ケーシング、６  モータカバー、７  仕切り板、８  挿通穴、９  固定ネジ、１０  作業空間、１１  カバー部品、１２，１３  インスレーション、１４  フック、１５  凸部、１６  フック、１７  取っ手、１８  シャフトカバー、１９  ボス（連結固定部）、２０  遮蔽空間。
【図１】
0003978986.tif 000002
【図２】
0003978986.tif 000003
【図３】
0003978986.tif 000004
【図４】
0003978986.tif 000005
【図５】
0003978986.tif 000006
【図６】
0003978986.tif 000007
【図７】
0003978986.tif 000008